(57)【要約】【課題】従来の車両用灯具システムでは、小型化、防水性に問題がある。【解決手段】この発明は、ソケット部材２と、給電部３と、放熱部材４と、光源部５と、を備える。給電部３は、給電部材３０と、絶縁部材３１と、を有する。放熱部材４には、取付面４２が設けられている。光源部５は、半導体発光素子５０と、第１基板５１と、第２基板５２と、点灯回路とを有する。第１基板５１は、取付面４２に取り付けられている。第２基板５２は、ソケット部材２中に収納されている。この結果、この発明は、小型化でき、防水性に優れている。【選択図】        図６
2015069709.tif 000002
【特許請求の範囲】
【請求項１】
ソケット部材と、給電部と、放熱部材と、光源部と、を備え、
前記ソケット部材は、熱伝導性樹脂から構成されていて、筒形状をなし、
前記給電部は、給電部材と、絶縁部材と、を有し、前記ソケット部材中に収納されていて、前記絶縁部材が前記ソケット部材に固定されていて、前記給電部材の一端が前記ソケット部材の一端側の空間中に前記ソケット部材の軸方向もしくはほぼ軸方向に配置されていて、
前記放熱部材は、前記ソケット部材の他端側の空間中に収納されていて、かつ、前記ソケット部材に固定されていて、前記放熱部材には、取付面が前記ソケット部材の軸方向と垂直もしくはほぼ垂直に設けられていて、
前記光源部は、半導体発光素子と、前記半導体発光素子が実装されている第１基板と、前記第１基板と電気的に接続されている第２基板と、前記第１基板および前記第２基板に実装されていて、かつ、前記半導体発光素子を駆動する点灯回路と、を有し、
前記第１基板は、前記取付面に取り付けられていて、
前記第２基板は、前記ソケット部材の他端側の空間中に前記ソケット部材の軸方向もしくはほぼ軸方向に配置されていて、前記給電部材の他端と電気的に接続されている、
ことを特徴とする車両用灯具の光源ユニット。
【請求項２】
前記第１基板には、前記点灯回路のうちの発熱素子が実装されていて、
前記第２基板には、前記点灯回路のうちの非発熱素子が実装されている、
ことを特徴とする請求項１に記載の車両用灯具の光源ユニット。
【請求項３】
前記ソケット部材と、前記放熱部材とには、相互に面接触する凹凸形状もしくはフィン形状の接触部がそれぞれ設けられている、
ことを特徴とする請求項１または２に記載の車両用灯具の光源ユニット。
【請求項４】
前記第１基板は、前記半導体発光素子が実装されている実装面が四角形をなし、
前記第２基板は、フレキシブル基板から構成されていて、一端が前記第１基板の１辺に電気的に接続されていて、
前記第２基板が配置されている前記ソケット部材の他端側の空間は、前記ソケット部材と前記放熱部材との間であって、前記第１基板の１辺を通る前記ソケット部材の軸方向もしくはほぼ軸方向に形成されていて、
前記給電部材の他端は、前記給電部材の一端に対して前記ソケット部材の軸方向と垂直もしくはほぼ垂直に折り曲げられていて、かつ、前記第２基板の他端に電気的に接続されている、
ことを特徴とする請求項１〜３のいずれか１項に記載の車両用灯具の光源ユニット。
【請求項５】
灯室を区画するランプハウジングおよびランプレンズと、
前記請求項１〜４のいずれか１項に記載の車両用灯具の光源ユニットと、
を備え、
前記ソケット部材は、前記ランプハウジングに取り付けられていて、
前記ソケット部材の一端側は、前記灯室外に配置されていて、
前記ソケット部材の他端側は、前記灯室内に配置されている、
ことを特徴とする車両用灯具。
【発明の詳細な説明】
【技術分野】
【０００１】
この発明は、車両用灯具の光源ユニット、車両用灯具（以下、総称して、あるいは、単独で、「車両用灯具システム」と称する）に関するものである。特に、この発明は、小型で防水性に優れた車両用灯具システムに関するものである。
【背景技術】
【０００２】
この種の車両用灯具システムは、従来からある（たとえば、特許文献１、特許文献２）。以下、従来の光源ユニットについて説明する。従来の車両用灯具システムは、発光ダイオードと、その発光ダイオードを冷却するための冷却体と、その冷却体の複数の冷却リブの内の１つに配置されている実装プレートと、その実装プレートに配置されているコネクタと、を備えるものである。
【先行技術文献】
【特許文献】
【０００３】
【特許文献１】特許第４６０８５５３号公報
【特許文献２】特許第４７７８５２３号公報
【発明の概要】
【発明が解決しようとする課題】
【０００４】
ところが、前記の従来の車両用灯具システムは、冷却体の円盤形の組込み面の径（直径）が大きいので、小型化に問題があり、また、実装プレートが冷却体の外側に露出しているので、防水性に問題がある。
【０００５】
この発明が解決しようとする課題は、従来の車両用灯具システムでは、小型化、防水性に問題がある、という点にある。
【課題を解決するための手段】
【０００６】
この発明（請求項１にかかる発明）は、ソケット部材と、給電部と、放熱部材と、光源部と、を備え、ソケット部材が、熱伝導性樹脂から構成されていて、筒形状をなし、給電部が、給電部材と、絶縁部材と、を有し、ソケット部材中に収納されていて、絶縁部材がソケット部材に固定されていて、給電部材の一端がソケット部材の一端側の空間中にソケット部材の軸方向もしくはほぼ軸方向に配置されていて、放熱部材が、ソケット部材の他端側の空間中に収納されていて、かつ、ソケット部材に固定されていて、放熱部材には、取付面がソケット部材の軸方向と垂直もしくはほぼ垂直に設けられていて、光源部が、半導体発光素子と、半導体発光素子が実装されている第１基板と、第１基板と電気的に接続されている第２基板と、第１基板および第２基板に実装されていて、かつ、半導体発光素子を駆動する点灯回路と、を有し、第１基板が、取付面に取り付けられていて、第２基板が、ソケット部材の他端側の空間中にソケット部材の軸方向もしくはほぼ軸方向に配置されていて、給電部材の他端と電気的に接続されている、ことを特徴とする。
【０００７】
この発明（請求項２にかかる発明）は、第１基板には、点灯回路のうちの発熱素子が実装されていて、第２基板には、点灯回路のうちの非発熱素子が実装されている、ことを特徴とする。
【０００８】
この発明（請求項３にかかる発明）は、ソケット部材と、放熱部材とには、相互に面接触する凹凸形状もしくはフィン形状の接触部がそれぞれ設けられている、ことを特徴とする。
【０００９】
この発明（請求項４にかかる発明）は、第１基板が、半導体発光素子が実装されている実装面が四角形をなし、第２基板が、フレキシブル基板から構成されていて、一端が第１基板の１辺に電気的に接続されていて、第２基板が配置されているソケット部材の他端側の空間が、ソケット部材と放熱部材との間であって、第１基板の１辺を通るソケット部材の軸方向もしくはほぼ軸方向に形成されていて、給電部材の他端が、給電部材の一端に対してソケット部材の軸方向と垂直もしくはほぼ垂直に折り曲げられていて、かつ、第２基板の他端に電気的に接続されている、ことを特徴とする。
【００１０】
この発明（請求項５にかかる発明）は、灯室を区画するランプハウジングおよびランプレンズと、前記請求項１〜４のいずれか１項に記載の車両用灯具の光源ユニットと、を備え、ソケット部材が、ランプハウジングに取り付けられていて、ソケット部材の一端側が、灯室外に配置されていて、ソケット部材の他端側が、灯室内に配置されている、ことを特徴とする。
【発明の効果】
【００１１】
この発明の車両用灯具システムは、半導体発光素子が実装されている第１基板が放熱部材の取付面に取り付けられている。このために、放熱部材の取付面を最小限に小さくすることにより、放熱部材が収納されているソケット部材の他端側の外径寸法を小さくすることができる。この結果、光源ユニットを小型化することができる。また、光源部および給電部がソケット部材中に収納されているので、防水性に優れている。
【図面の簡単な説明】
【００１２】
【図１】図１は、この発明にかかる車両用灯具システムの実施形態を示し、光源ユニットを車両用灯具に組み付けた状態の一部断面図である。
【図２】図２は、レンズ部を除いた状態の光源ユニットを示す側面図（図１におけるＩＩ矢視図）である。
【図３】図３は、レンズ部を除いた状態の光源ユニットを示す底面図（図２におけるＩＩＩ矢視図）である。
【図４】図４は、レンズ部を除いた状態の光源ユニットを示す平面図（図２におけるＩＶ矢視図）である。
【図５】図５は、レンズ部を除いた状態の光源ユニットを示す断面図（図４におけるＶ−Ｖ線断面図）である。
【図６】図６は、レンズ部を除いた状態の光源ユニットを示す断面図（図４におけるＶＩ−ＶＩ線断面図）である。
【図７】図７は、ソケット部材を示す説明図である。
【図８】図８は、給電部を示す説明図である。
【図９】図９は、光源部の第１基板および第２基板を示す説明図である。
【図１０】図１０は、光源部の第２基板を示す説明図である。
【図１１】図１１は、放熱部材を示す説明図である。
【図１２】図１２は、給電部の変形例を示す説明図である。
【発明を実施するための形態】
【００１３】
以下、この発明にかかる車両用灯具システムの実施形態（実施例）を図面に基づいて詳細に説明する。なお、この実施形態によりこの発明が限定されるものではない。図７（Ａ）は、ソケット部材の平面図であり、図７（Ｂ）は、図７（Ａ）におけるＢ−Ｂ線断面図であり、図７（Ｃ）は、図７（Ａ）におけるＣ−Ｃ線断面図である。図８（Ａ）は、給電部の平面図であり、図８（Ｂ）は、図８（Ａ）におけるＢ矢視図であり、図８（Ｃ）は、図８（Ａ）におけるＣ矢視図であり、図８（Ｄ）は、図８（Ｃ）におけるＤ矢視図である。図９（Ａ）は、第１基板の平面図であり、図９（Ｂ）は、第１基板と第２基板との電気的接続部分の説明図である。図１０（Ａ）は、第２基板の側面図であり、図１０（Ｂ）は、図１０（Ａ）におけるＢ矢視図であり、図１０（Ｃ）は、図１０（Ｂ）におけるＣ矢視図である。図１１（Ａ）は、放熱部材の平面図であり、図１１（Ｂ）は、図１１（Ａ）におけるＢ矢視図であり、図１１（Ｃ）は、図１１（Ａ）におけるＣ矢視図であり、図１１（Ｄ）は、図１１（Ａ）におけるＤ−Ｄ線断面図であり、図１１（Ｅ）は、図１１（Ｃ）におけるＥ矢視図である。図１２（Ａ）は、変形例の給電部の折り曲げる前の状態を示す説明図であり、図１２（Ｂ）は、変形例の給電部の折り曲げた後の状態を示す説明図である。
【００１４】
（実施形態の構成の説明）
以下、この実施形態における車両用灯具システムの構成について説明する。図１において、符号１００は、この実施形態における車両用灯具である。
【００１５】
（車両用灯具１００の説明）
前記車両用灯具１００は、この例では、白色光を照射するランプ（デイタイムランニングランプ、バックアップランプ、クリアランスランプ、室内ランプなど）、あるいは、アンバー色光を照射するランプ（ターンシグナルランプなど）、あるいは、赤色光を照射するランプ（テールランプ、ストップランプ、テール・ストップランプなど）である。前記車両用灯具１００は、車両（図示せず）の前部あるいは後部あるいは前後両部の左右あるいは室内にそれぞれ装備される。前記車両用灯具１００は、他のランプと組み合わせられる場合がある。
【００１６】
前記車両用灯具１００は、図１に示すように、ランプハウジング１０１およびランプレンズ（図示せず）と、この実施形態１における車両用灯具の光源ユニット１と、を備えるものである。
【００１７】
前記ランプハウジング１０１は、たとえば、光不透過性の部材、例えば、樹脂部材から構成されている。前記ランプハウジング１０１は、一方（後方）が開口し、他方（前方）が閉塞されている中空形状をなす。前記ランプハウジング１０１の閉塞部には、取付孔１０２が設けられている。前記取付孔１０２は、円形形状をなす。前記取付孔１０２の縁には、複数個の凹部（図示せず）と複数個のストッパ部（図示せず）とがほぼ等間隔に設けられている。
【００１８】
前記ランプレンズは、たとえば、光透過性の部材、例えば、透明樹脂部材やガラス部材から構成されている。前記ランプレンズは、一方（前方）が開口し、他方（後方）が閉塞されている中空形状をなす。前記ランプレンズの開口部の周縁部と前記ランプハウジング１０１の開口部の周縁部とは、水密に固定されている。前記ランプハウジング１０１および前記ランプレンズにより、灯室１０３が区画されている。なお、前記灯室１０３内にリフレクタ（図示せず）を配置しても良い。前記リフレクタは、前記光源ユニット１から放射される光を所定の配光パターンに配光制御する配光制御部である。
【００１９】
（光源ユニット１の説明）
前記光源ユニット１は、図１〜図６に示すように、ソケット部材２と、給電部３と、放熱部材４と、光源部５と、レンズ部６と、を備える。
【００２０】
前記光源ユニット１は、図１に示すように、前記車両用灯具１００に装備されている。すなわち、前記ソケット部材２が前記ランプハウジング１０１にパッキン（リングリング）１０４を介して着脱可能に取り付けられている。前記ソケット部材２の一端側（コネクタ嵌合部２０側）は、前記灯室１０３外に配置されている。一方、前記ソケット部材２の他端側（挿入部２２側）は、前記ランプハウジング１０１の前記取付孔１０２を経て前記灯室１０３内に挿入して配置されている。
【００２１】
（ソケット部材２の説明）
前記ソケット部材２は、熱伝導性樹脂、たとえば、炭素繊維（短炭素繊維）、あるいは、炭素顆粒、あるいは、炭素繊維と炭素顆粒との混合物を含有する樹脂から構成されている。前記ソケット部材２は、この例では、少なくとも炭素繊維を含有する樹脂の射出成形品から構成されている。なお、前記ソケット部材２は、たとえば、熱伝導性なお導電性をも有するアルミダイカストから構成されているものであっても良い。
【００２２】
前記ソケット部材２は、図７に示すように、筒形状をなす。前記ソケット部材２の一端側の前記コネクタ嵌合部２０は、図３に示すように、中空状の長方形の筒形状をなす。前記コネクタ嵌合部２０の内部には、前記ソケット部材２の一端側の空間の凹部２１が設けられている。前記コネクタ嵌合部２０には、ロック部が設けられている。前記コネクタ嵌合部２０の外周面には、リブが前記ソケット部材２の軸（中心軸）Ｏ方向もしくはほぼ前記軸Ｏ方向に設けられている。
【００２３】
前記ソケット部材２の他端側の前記挿入部２２は、図１、図７に示すように、外径が前記ランプハウジング１０１の前記取付孔１０２の内径より若干小さい中空状の円形の筒形状をなす。前記挿入部２２の内部には、前記ソケット部材２の他端側の空間の収納部２３が設けられている。前記挿入部２２の円環形状の端面には、かぎ形状（Ｌ字形状）の切欠２００が４個設けられている。４個の前記切欠２００は、四角形の４角にそれぞれ対応する。
【００２４】
前記ソケット部材２の内部の前記凹部２１と前記収納部２３との間には、仕切壁２４が前記軸Ｏと垂直もしくはほぼ垂直に設けられている。前記仕切壁２４には、貫通孔２５が、前記軸Ｏに対してオフセットされて、かつ、前記軸Ｏ方向もしくはほぼ前記軸Ｏ方向に設けられている。前記収納部２３の中間部には、前記放熱部材４と相互に面接触する凹凸形状（櫛形状）もしくはフィン形状の接触部２６が設けられている。
【００２５】
前記ソケット部材２の前記挿入部２２の外周面の一端寄りには、円形形状の鍔部２７が設けられている。前記ソケット部材２の前記挿入部２２の外周面の他端寄りには、複数個この例では４個の凸部２８が、前記ランプハウジング１０１の前記凹部と対応させて、かつ、前記鍔部２７と対向して、設けられている。前記ソケット部材２の前記挿入部２２の外周面の前記鍔部２７の一端寄りには、複数枚のフィン部２９が設けられている。前記フィン部２９は、前記光源ユニット１を前記車両用灯具１００に装備した際に、上下方向に位置する。この結果、複数枚の前記フィン部２９の間の貫通空隙が上下方向となる。このために、下から上への自然対流が発生し易く、放熱効果が向上される。
【００２６】
（給電部３の説明）
前記給電部３は、図８に示すように、この例では２本の給電部材３０と、前記絶縁部材３１と、を有する。前記給電部材３０の一端のターミナル３２は、前記ソケット部材２の前記軸Ｏ方向もしくはほぼ前記軸Ｏ方向に設けられている。前記給電部材３０の他端の接続部３３は、前記ターミナル３２に対して前記ソケット部材２の前記軸Ｏ方向と垂直もしくはほぼ垂直に折り曲げられている。
【００２７】
前記絶縁部材３１は、２本の前記給電部材３０の一部の中間部を外装して、前記ソケット部材２と２本の前記給電部材３０とを相互に絶縁状態で組み込むものである。前記絶縁部材３１は、たとえば、絶縁性の樹脂部材からなる。
【００２８】
前記絶縁部材３１は、貫通部３４と、固定部３５と、から構成されている。前記貫通部３４は、前記ソケット部材２の前記軸Ｏ方向もしくはほぼ前記軸Ｏ方向に設けられている。前記固定部３５は、前記ソケット部材２の前記軸Ｏ方向と垂直もしくはほぼ垂直に設けられている。前記固定部３５は、前記ソケット部材２の前記接触部２６を通過できるように、前記接触部２６と互い違いの凹凸形状（櫛形状）もしくはフィン形状をなす。前記貫通部３４と前記固定部３５とは、図８（Ｃ）に示すように、Ｌ字形状をなす。前記固定部３５は、図８（Ａ）、（Ｄ）に示すように、二股形状をなす。
【００２９】
前記ターミナル３２は、前記貫通部３４から前記ソケット部材２の前記軸Ｏ方向もしくはほぼ前記軸Ｏ方向に突出する。前記接続部３３は、前記固定部３５から前記ソケット部材２の前記軸Ｏ方向と垂直もしくはほぼ垂直に突出する。
【００３０】
前記給電部３は、図５、図６に示すように、前記ソケット部材２の前記収納部２３中に収納されている。すなわち、前記絶縁部材３１の前記貫通部３４は、前記ソケット部材２の前記貫通孔２５中に貫通されている。この結果、２本の前記給電部材３０の前記ターミナル３２は、前記ソケット部材２の前記凹部２１中に前記ソケット部材２の前記軸Ｏ方向もしくはほぼ前記軸Ｏ方向に配置される。
【００３１】
一方、前記絶縁部材３１の前記固定部３５は、前記ソケット部材２の前記仕切壁２４上に載置されている。この結果、２本の前記給電部材３０の前記固定部３５は、前記ソケット部材２の前記収納部２３中に前記ソケット部材２の前記軸Ｏ方向と垂直もしくはほぼ垂直に配置される。
【００３２】
前記給電部３の前記絶縁部材３１の前記固定部３５は、前記ソケット部材２に、たとえば、溶着（超音波溶着）や接着（熱伝導性接着剤による接着）などにより、固定されている。このとき、前記給電部３の前記固定部３５と、前記ソケット部材２の前記接触部２６とは、相互に面接触する。前記給電部３の前記固定部３５と、前記ソケット部材２の前記接触部２６との相互に面接触する面には、熱伝導性接着剤を塗布しても良い。
【００３３】
（放熱部材４の説明）
前記放熱部材４は、熱伝導性部材、この例では、金属（アルミ）ダイカストあるいは金属冷間鍛造から構成されている。前記放熱部材４は、図１１に示すように、一端部（天板部）の取付部４０と、中間部から他端部の接触部４１と、から構成されている。前記取付部４０の一面には、円形から一部弦形を切除した形状の取付面４２が、前記ソケット部材２の前記軸Ｏ方向と垂直もしくはほぼ垂直に設けられている。前記接触部４１は、前記取付部４０の他面に設けられていて、前記ソケット部材２の前記接触部２６と相互に面接触するように、前記接触部２６と互い違いの凹凸形状（櫛形状）もしくはフィン形状をなす。
【００３４】
前記放熱部材４は、図５、図６に示すように、前記ソケット部材２の前記収納部２３中に収納されている。すなわち、前記放熱部材４は、前記ソケット部材２の前記接触部２６上に載置されている。前記放熱部材４は、前記ソケット部材２に、たとえば、接着（熱伝導性接着剤による接着）などにより、固定されている。このとき、前記放熱部材４の前記接触部４１と、前記ソケット部材２の前記接触部２６とは、相互に面接触する。前記放熱部材４の前記接触部４１と、前記ソケット部材２の前記接触部２６との相互に面接触する面には、熱伝導性接着剤を塗布しても良い。
【００３５】
（光源部５の説明）
前記光源部５は、図９、図１０に示すように、この例では２個の半導体発光素子（ＬＥＤチップ、発光チップ）５０と、第１基板５１と、第２基板５２と、点灯回路と、包囲壁部材５３と、封止部材５４と、３個の第１端子５５と、３個の第２端子５６と、２個の半田５７と、から構成されている。
【００３６】
前記第１基板５１は、この例では、セラミック基板、一面に絶縁層が設けられている金属基板（アルミ基板）、ＦＲ４などである。前記第１基板５１の一面には、２個の前記半導体発光素子５０と、前記点灯回路のうちの発熱素子５１０（たとえば、発熱量が比較的に大きい素子であって、抵抗回路の場合は抵抗などであり、定電流回路の場合はＩＣ半導体など）と、前記包囲壁部材５３と、前記封止部材５４と、３個の前記第１端子５５とが実装されている。なお、前記第１基板５１の一面の実装面には、高反射塗料や高反射蒸着などの高反射面を設けても良い。
【００３７】
図５、図６に示すように、前記第１基板５１の他面は、図示しない熱伝導性媒体（熱伝導性接着剤、グリース、熱伝導性グリースなど）を介して前記放熱部材４の前記取付面４２に密着固定されている。前記第１基板５１は、平面から見てほぼ長方形形状もしくはほぼ正方形形状をなす。
【００３８】
２個の前記半導体発光素子５０は、前記第１基板５１の前記実装面に前記ソケット部材２の前記軸Ｏに集中して実装されている。この結果、２個の前記半導体発光素子５０は、概ね点光源となり、ランバシアン配光となる。３個の前記第２端子５６は、前記第１基板５１の前記実装面の１辺近傍に実装されている。
【００３９】
前記包囲壁部材５３は、絶縁性部材たとえば樹脂、この例では、反射率を上げた樹脂から構成されている。前記包囲壁部材５３は、２個の前記半導体発光素子５０全部と、前記点灯回路の一部を包囲する円環状形状をなすものである。すなわち、前記包囲壁部材５３は、中央部が中空部であり、かつ、周囲部が壁部である円環状形状をなすものである。前記包囲壁部材５３の前記壁部の肉厚（前記壁部の内周面から外周面までの厚さ）は、ほぼ均一（均等）である。
【００４０】
前記包囲壁部材５３は、前記半導体発光素子５０および前記点灯回路の高さよりも十分な高さを有する。前記包囲壁部材５３は、前記封止部材５４を充填（注入、モールド、モールディング）する容量（範囲）を小容量に規制する部材（土手、ダム）である。前記包囲壁部材５３の前記壁部の一端面は、前記第１基板５１の前記実装面に、嵌合接着により、固定されかつ位置決めされている。
【００４１】
前記包囲壁部材５３の前記壁部の内周面には、前記半導体発光素子５０（特に、前記半導体発光素子５０の４側面）から放射される光（図示せず）を所定の方向（たとえば、前記半導体発光素子５０の一正面から放射される光の方向とほぼ同方向）に反射させる反射面が設けられている。
【００４２】
前記封止部材５４は、光透過性部材、たとえば、エポキシ系樹脂またはシリコン系樹脂から構成されている。前記封止部材５４は、前記第１基板５１の前記実装面に、前記半導体発光素子５０が実装され、かつ、ワイヤがボンディング配線された後に、前記第１基板５１に実装された前記包囲壁部材５３の前記中空部中であって、前記第１基板５１の前記実装面と前記包囲壁部材５３の前記壁部の内周面とにより区画されている空間中に充填される。前記封止部材５４が硬化することにより、２個の前記半導体発光素子５０全部と、前記点灯回路の一部が前記封止部材５４により封止されることとなる。
【００４３】
前記封止部材５４は、２個の前記半導体発光素子５０全部と、前記点灯回路の一部を外からの影響、たとえば、他のものが接触したり、塵埃が付着したりするのを防ぎ、かつ、紫外線や硫化ガスやＮＯｘや水から保護するものである。すなわち、前記封止部材５４は、２個の前記半導体発光素子５０などを外乱から保護するものである。
【００４４】
前記第２基板５２は、折曲可能な部材（基材）から構成されている。前記第２基板５２は、この例では、ポリイミドやポリエステルなどからなるＦＰＣ（フレキシブルプリントサーキット）の部材、または、ＦＰＣに熱抵抗を下げるための薄い部材（たとえば、銅、アルミニウム、鉄、タングステンなどの金属箔）を設けた部材、から構成されている。
【００４５】
前記第２基板５２は、長方形形状をなす。前記第２基板５２の一端部は、コの字形状をなし、前記第２基板５２の中間部から他端部までは、平板形状をなす。前記第２基板５２の平板形状部の一面（コの字形状の一端部の突出している側の面）には、前記点灯回路のうちの非発熱素子５２０（たとえば、発熱量が比較的に小さい素子であって、ダイオード、コンデンサ、ツエナーダイオード、トランジスタ、電界効果トランジスタなど）が実装されている。３個の前記第２端子５６は、前記第２基板５２の一端部の辺近傍に、前記第１基板５１の３個の前記第１端子５５と対応して設けられている。
【００４６】
前記第２基板５２の他端部には、前記給電部３の前記接続部３３が貫通している。前記第２基板５２と前記接続部３３とは、図５、図６に示すように、前記半田５７により電気的に接続されていて、かつ、機械的に固定されている。
【００４７】
前記第１基板５１の３個の前記第１端子５５と前記第２基板５２の３個の前記第２端子５６とは、たとえば、ＡＣＦ、ＡＣＰなどにより、電気的に接続されている。なお、電気的接続を確実にするために、前記第１端子５５と前記第２端子５６とを接着したり圧着したり半田付けしたり溶着したりしても良い。
【００４８】
前記点灯回路は、前記第１基板５１の実装面および前記第２基板５２の平板形状部の実装面にそれぞれ実装されている。前記点灯回路は、電子部品と、配線と、からなる。前記電子部品は、前記発熱素子５１０、前記非発熱素子５２０などからなる。
【００４９】
前記配線は、配線パターン、ボンディングワイヤ、導電性接着剤、実装パッド、ワイヤパッドなどからなる。前記配線は、前記電子部品と前記半導体発光素子５０と前記給電部３の前記給電部材３０とを電気的に接続する。前記配線の一部５８は、図９（Ｂ）に示すように、前記第２基板５２の平板形状部の実装面からコの字形状部に貫通して前記第２端子５６に電気的に接続されている。
【００５０】
（レンズ部６の説明）
前記レンズ部６は、光透過性部材からなる光学部品でかつカバー部材である。前記レンズ部６は、図１に示すように、前記ソケット部材２の前記挿入部２２に着脱可能にまたは固定的に取り付けられている。この結果、前記レンズ部６は、前記ソケット部材２の前記収納部２３をカバーして、前記光源部５をカバーする。前記レンズ部６と前記ソケット部材２とには、誤組付部（図示せず）が設けられている。
【００５１】
前記レンズ部６には、前記半導体発光素子５０から放射される光を光学制御して出射させるプリズムなどの光学制御部（図示せず）が設けられている。前記レンズ部６は、前記封止部材５４と共に、前記半導体発光素子５０を外からの影響、たとえば、他のものが接触したり、塵埃が付着したりするのを防ぎ、かつ、紫外線や硫化ガスやＮＯｘや水から保護するものである。すなわち、前記レンズ部６は、前記半導体発光素子５０を外乱から保護するものである。また、前記レンズ部６は、前記半導体発光素子５０以外に、前記点灯回路をも外乱から保護するものである。
【００５２】
（コネクタ部およびコネクタ７の説明）
前記ソケット部材２の前記コネクタ嵌合部２０および前記給電部３の前記ターミナル３２は、コネクタ部を構成する。図１に示すように、前記コネクタ部には、電源側のコネクタ７が機械的に着脱可能にかつ電気的に断続可能に取り付けられている。前記コネクタ７は、前記ロック部により、前記コネクタ部に確実に取り付けられている。
【００５３】
図１に示すように、前記コネクタ７は、２本のハーネス７０およびスイッチ（図示せず）を介して図示しない電源（直流電源のバッテリー）に接続されていて、かつ、アースされている（グランドされている）。前記コネクタ部および前記コネクタ７は、２ピン（前記２本の給電部材３０の前記ターミナル３２、電源側の前記２本のターミナル）タイプの防水構造のコネクタ部およびコネクタである。
【００５４】
（光源ユニット１の組付の説明）
以下、前記光源ユニット１の組付の１例を説明する。まず、前記給電部３の前記接続部３３を前記光源部５の前記第２基板５２に前記半田５７により電気的に接続しかつ機械的に固定する。
【００５５】
つぎに、前記給電部３と前記第２基板５２とを前記ソケット部材２の前記収納部２３中に、前記ソケット部材２の前記軸Ｏ方向もしくはほぼ前記軸Ｏ方向に収納する。このとき、前記ソケット部材２の前記接触部２６と前記給電部３の前記固定部３５とは、互い違いの形状をなすので、前記給電部３と前記第２基板５２とを前記ソケット部材２の前記収納部２３中に、スムーズに通過して収納することができる。
【００５６】
前記ソケット部材２と前記給電部３の前記絶縁部材３１とを溶着や接着などにより固定する。このとき、前記ソケット部材２の前記接触部２６と前記給電部３の前記固定部３５とは、相互に面接触している。
【００５７】
つづいて、前記放熱部材４を前記ソケット部材２の前記収納部２３中に、前記ソケット部材２の前記軸Ｏ方向もしくはほぼ前記軸Ｏ方向に収納する。このとき、前記ソケット部材２の前記接触部２６と前記放熱部材４の前記接触部４１とは、互い違いの形状をなすので、前記放熱部材４を前記ソケット部材２の前記収納部２３中に、スムーズに通過して収納することができる。
【００５８】
前記ソケット部材２と前記放熱部材４とを接着などにより固定する。このとき、前記ソケット部材２の前記接触部２６と前記放熱部材４の前記接触部４１とは、相互に面接触している。前記ソケット部材２の前記挿入部２２と前記放熱部材４の前記接触部４１および前記ソケット部材２の前記接触部２６との間の収納スペースには、前記第２基板５２が収納されている。一方、前記放熱部材４の前記取付面４２上には、前記第１基板５１収納用のスペースが確保される。
【００５９】
それから、前記第１基板５１を前記ソケット部材２の前記収納部２３中に、前記ソケット部材２の前記軸Ｏ方向もしくはほぼ前記軸Ｏ方向に収納する。前記第１基板５１を前記放熱部材４の前記取付面４２に熱伝導性媒体を介して密着固定する。このとき、前記放熱部材４の前記取付面４２上の収納スペースには、前記第１基板５１が収納されている。また、前記第１基板５１は、前記ソケット部材２の前記切欠２００により、位置決めされている。すなわち、２個の前記半導体発光素子５０の中間点と前記ソケット部材２の前記軸Ｏとが一致もしくはほぼ一致するように位置決めされている。
【００６０】
そして、前記レンズ部６を前記ソケット部材２の前記挿入部２２に取り付ける。これにより、前記光源ユニット１は、組み付けられる。なお、前記放熱部材４、前記第１基板５１を前記収納部２３中に収納する際に、前記第２基板５２のコの字形状部を撓ませることができる。
【００６１】
ここで、前記給電部材３０に組み付けられた前記第２基板５２を前記第１基板５１に組み付けて、前記給電部３と前記第２基板５２と前記第１基板５１とを前記ソケット部材２の前記収納部２３中に収納固定しても良い。この場合においては、前記放熱部材４を前記収納部２３中に収納する際に、前記第１基板５１を前記第２基板５２のコの字形状部において、図９（Ｂ）中の実線矢印に示すように、移動させることにより、前記放熱部材４を前記収納部２３中に通すスペースを確保することができる。
【００６２】
（実施形態の作用の説明）
この実施形態における車両用灯具システムは、以上のごとき構成からなり、以下、その作用について説明する。
【００６３】
まず、スイッチを操作する。すると、電流（駆動電流）は、コネクタ７およびコネクタ部を介して給電部３に供給される。そして、電流は、給電部材３０、点灯回路、を介して２個の半導体発光素子５０に供給される。この結果、２個の半導体発光素子５０が発光する。
【００６４】
この２個の半導体発光素子５０から放射された光は、封止部材５４、空気層、光源ユニット１のレンズ部６を透過して配光制御される。なお、半導体発光素子５０から放射された光の一部は、第１基板５１の実装面でレンズ部６側に反射される。配光制御された光は、直接、車両用灯具１００のランプレンズを透過し、あるいは、リフレクタの反射面で反射されて、ランプレンズを透過し、再度配光制御されて外部に照射される。これにより、車両用灯具１００は、所定の機能の配光を外部に照射する。
【００６５】
つぎに、スイッチを操作して、電流を遮断すると、２個の半導体発光素子５０は、消光する。これにより、車両用灯具１００は、消灯する。
【００６６】
ここで、光源部５の半導体発光素子５０および点灯回路特に抵抗において発生した熱は、第１基板５１および熱伝導性媒体および放熱部材４を介してソケット部材２に伝達し、このソケット部材２から外部に放射される。
【００６７】
（実施形態の効果の説明）
この実施形態における車両用灯具システムは、以上のごとき構成および作用からなり、以下、その効果について説明する。
【００６８】
この実施形態における車両用灯具システムは、半導体発光素子５０が実装されている第１基板５１が放熱部材４の取付面４２に取り付けられている。このために、放熱部材４の取付面４２を最小限に小さくすることにより、放熱部材４が収納されているソケット部材２の他端側の挿入部２２の外径寸法を小さくすることができる。この結果、光源ユニット１を小型化することができる。また、光源部５および給電部３がソケット部材２中に収納されているので、防水性に優れている。
【００６９】
すなわち、光源部５の第１基板５１と第２基板５２との収納スペースが、ソケット部材２の他端側の挿入部２２の収納部２３において、ソケット部材２の軸Ｏに対して垂直もしくはほぼ垂直なスペース（取付面４２上のスペース）と、ソケット部材２の軸Ｏ方向もしくはほぼ軸Ｏ方向のスペース（挿入部２２と接触部２６および接触部４１との間のスペース）とに確保されている。このために、第１基板５１に点灯回路の電子部品のうち必要な電子部品（発熱素子５１０）を半導体発光素子５０と共に実装し、残りの電子部品（非発熱素子５２０）を第２基板５２に実装することができる。これにより、第１基板５１の寸法、すなわち、放熱部材４の寸法を小さくすることができる。
【００７０】
この実施形態における車両用灯具システムは、基板を第１基板５１と第２基板５２とし、第１基板５１に半導体発光素子５０と点灯回路の発熱素子５１０を実装し、第２基板５２に点灯回路の非発熱素子５２０を実装するものである。このために、半導体発光素子５０および発熱素子５１０において発生した熱を第１基板５１および放熱部材４およびソケット部材２を介して外部に効率良く放射（放出）することができる。
【００７１】
この実施形態における車両用灯具システムは、ソケット部材２の接触部２６と放熱部材４の接触部４１とは、相互に面接触している。このために、半導体発光素子５０において発生する熱を、放熱部材４を介してソケット部材２から効率良く放射（放出）することができる。これにより、半導体発光素子５０のジャンクション温度を低減することができる。この結果、半導体発光素子５０の信頼性が向上される。また、同一のジャンクション温度では、半導体発光素子５０への供給電流（供給電力）を上げることができるので、半導体発光素子５０の発光光束を上げることができる。
【００７２】
この実施形態における車両用灯具システムは、第２基板５２が折曲可能な部材（基材、フレキシブル基板）から構成されているので、放熱部材４、第１基板５１をソケット部材２中に収納する際に、第２基板５２のコの字形状部を撓ませることができる。このために、光源ユニット１の組付が容易となり組付作業性が向上する。しかも、第２基板５２には、非発熱素子５２０が実装されているので、第２基板５２としてフレキシブル基板を使用しても熱による弊害はない。
【００７３】
この実施形態における車両用灯具システムは、コネクタ部である凹部２１を有するコネクタ嵌合部２０、および、給電部材３０のターミナル３２がソケット部材２の軸Ｏ方向もしくはほぼ軸Ｏ方向に設けられている。すなわち、コネクタ部は、縦差し構造である。このために、ソケット部材２の成形金型の構造が横差し構造のコネクタ部と比較して簡単であるから、製造コストを安価にすることができる。しかも、光源がバルブの光源ユニットとの置き換えが簡単である。
【００７４】
（給電部３Ａの変形例の説明）
図１２は、給電部３Ａの変形例を示す説明図である。この給電部３Ａは、２本の給電部材３００の一端部に絶縁部材の貫通部３４０を設け、かつ、２本の給電部材３００の他端部に絶縁部材の固定部３５０を設け、２本の給電部材３００をその中間において、直角もしくはほぼ直角に折り曲げてなるものである。２本の給電部材３００の一端部には、ターミナル部３２０が形成され、かつ、２本の給電部材３００の他端部には、接続部３３０が形成される。この変形例の給電部３Ａは、前記の給電部３と比較して製造が簡単である。この結果、製造コストを安価にすることができる。
【００７５】
（実施形態以外の例の説明）
なお、前記の実施形態においては、２個の半導体発光素子５０を使用するものである。ところが、この発明においては、半導体発光素子５０を１個、もしくは、３個以上使用しても良い。
【符号の説明】
【００７６】
１００  車両用灯具
１０１  ランプハウジング
１０２  取付孔
１０３  灯室
１０４  パッキン
１  光源ユニット
２  ソケット部材
２０  コネクタ嵌合部
２１  凹部
２２  挿入部
２３  収納部
２４  仕切壁
２５  貫通孔
２６  接触部
２７  鍔部
２８  凸部
２９  フィン部
２００  切欠
３、３Ａ  給電部
３０、３００  給電部材
３１  絶縁部材
３２、３２０  ターミナル
３３、３３０  接続部
３４、３４０  貫通部
３５、３５０  固定部
４  放熱部材
４０  取付部
４１  接触部
４２  取付面
５  光源部
５０  半導体発光素子
５１  第１基板
５１０  発熱素子
５２  第２基板
５２０  非発熱素子
５３  包囲壁部材
５４  封止部材
５５  第１端子
５６  第２端子
５７  半田
５８  配線の一部
６  レンズ部
７  コネクタ
７０  ハーネス
Ｏ  軸
【図１】
2015069709.tif 000003
【図２】
2015069709.tif 000004
【図３】
2015069709.tif 000005
【図４】
2015069709.tif 000006
【図５】
2015069709.tif 000007
【図６】
2015069709.tif 000008
【図７】
2015069709.tif 000009
【図８】
2015069709.tif 000010
【図９】
2015069709.tif 000011
【図１０】
2015069709.tif 000012
【図１１】
2015069709.tif 000013
【図１２】
2015069709.tif 000014